(57)【要約】【課題】  複数の保護カバーにそれぞれ配置されるワイパーの緩みや脱落を防止し、ひいては、金属屑等が工作機械等の可動部へ侵入することを確実に防止する新規なテレスコピックカバーを提供する。【解決手段】  主板部２ａ，３ａ，４ａ，５ａと、これら主板部の両側に形成された側板部とを備えた複数の保護カバー２，３，４，５が入れ子状に重ねられた状態で配置され、該保護カバー全体で伸縮自在とされてなるテレスコピックカバーであって、上記複数の保護カバーのうちで最も内側に配置された保護カバー５を除く各保護カバー２，３，４の先端側には、上記保護カバーに固定された固定金具７１と、この固定金具７１に接着され該固定金具７１が固定された保護カバー２，３，４の先端側に一部重なるように配置された他の保護カバー３，４，５の主板部３ａ，４ａ，５ａ又は側板部の外側面に常時摺接するリップ部７２ｂを有するとともに、弾性材により成形されたワイパー７２とを備えてなるものである。 【選択図】        図３
2009184026.tif 000002
【特許請求の範囲】
【請求項１】
主板部と、この主板部の両側に形成された側板部とを備えた複数の保護カバーが入れ子状に重ねられた状態で配置され、該保護カバー全体で伸縮自在とされてなるテレスコピックカバーであって、
上記複数の保護カバーのうちで最も内側に配置された保護カバーを除く各保護カバーの先端側には、
上記保護カバーに固定された固定金具と、
この固定金具に接着され該固定金具が固定された保護カバーの先端側に一部重なるように配置された他の保護カバーの主板部又は側板部の外側面に常時摺接するリップ部を有するとともに、弾性材により成形されたワイパーと、
を備えてなることを特徴とするテレスコピックカバー。
【請求項２】
前記固定金具は、前記他の保護カバーの主板部又は側板部の外側面と平行して又は傾斜して対向する対向面と、この対向面と交わる先端面とを有し、
前記ワイパーには、上記対向面に接着される第１の接着面と、上記先端面に接着される第２の接着面とを有してなることを特徴とする請求項1記載のテレスコピックカバー。
【請求項３】
前記ワイパーのリップ部には、少なくとも前記他の保護カバーの主板部又は側板部の外側面に常時摺接する部位に低摩擦抵抗樹脂シートが接着されてなることを特徴とする請求項１又は２記載の何れかのテレスコピックカバー。
【請求項４】
前記低摩擦抵抗樹脂シートは、少なくとも前記ワイパーのリップ部であって前記他の保護カバーの主板部又は側板部の外側面に常時摺接する先端側は外部に露出された状態で該
リップ部に接着されてなる一方、基端側は該ワイパー内に埋設された状態で接着されてなることを特徴とする請求項３記載の何れかのテレスコピックカバー。
【請求項５】
前記ワイパーは、ゴムを素材としてなるとともに、前記ワイパーと固定金具との接着及び前記低摩擦抵抗樹脂シートとワイパーとの接着が、何れも加硫接着であることを特徴とする請求項３又は４記載の何れかのテレスコピックカバー。
【発明の詳細な説明】
【技術分野】
【０００１】
本発明は、例えば工作機械、三次元測定機等の機械や装置の可動部を伸縮自在な複数個の保護カバーにより覆い、内部の機械構造を保護するために設置されるテレスコピックカバーに関し、特に、複数の保護カバーにそれぞれ配置されるワイパーの緩みや脱落を防止できるテレスコピックカバーに関するものである。
【背景技術】
【０００２】
工作機械や三次元測定機には、直線的に駆動する加工ヘッドや測定部等が設けられ、こうした加工ヘッド等の移動範囲にはレール状又は軸状の案内面を備えた可動部が配置され、この可動部の案内面に沿って上記加工ヘッド等が進退移動する構造とされている。しかし、加工の際に生じる金属屑、塵埃、クーラント液等が上記可動部に付着すると、上記加工ヘッド等の精度に支障を来たし、或いは故障の原因となる場合がある。そこで、従来、こうした加工ヘッド等の可動部を金属屑等から保護するために、複数の保護カバーを伸縮自在な入れ子状に配置したテレスコピックカバーが使用されている。
【０００３】
このテレスコピックカバーは、例えば上記工作機械本体に基端側が固定され、先端側を上記加工ヘッド等に固定することにより、上記加工ヘッド等の直線的駆動に伴い伸縮動作を行うものである。ところで、こうしたテレスコピックカバーは、入れ子状に重ねられた複数の保護カバーの対向する一方側と他方側とのそれぞれの保護カバーの間には隙間が形成されることから、この隙間を経て工作機械等の可動部へ金属屑、塵埃、クーラント液等が侵入し、加工ヘッド等の精度に支障を来たし、或いは故障の原因となる場合があった。そこで、こうした加工ヘッド等の精度の劣化や故障を防止するために、上記隙間にワイパーを配置し、可動部へ金属屑等が侵入することを防止するテレスコピックカバーが知られている（図６参照）。
【０００４】
この図６に示すテレスコピックカバー１０１は、合成ゴム等を素材として成形され先端部に下方側の保護カバー１０３と摺接するリップ部１０４ｂが形成されたワイパー１０４と、このワイパー１０４の締着部１０４ａを上方側の保護カバー１０２の下面部との間に挟持するとともに、止めねじ１０６の締着力により前記ワイパー１０４を介して上方側の保護カバー１０２に固定された固定金具１０５とを備えてなるものである。そして、上方側の保護カバー１０２と下方側の保護カバー１０３との相対移動により、ワイパー１０４のリップ部１０４ｂが下方側の保護カバー１０３上を摺動するとともに、該ワイパー１０４のリップ部１０４ｂにより下方側の保護カバー１０３上の金属屑等を排斥して、工作機械等の可動部へ侵入することを防止するものである。
【発明の開示】
【発明が解決しようとする課題】
【０００５】
しかしながら、上記従来のワイパー１０４では、上方側の保護カバー１０２と固定金具１０５との間に締着部１０４ａが介在され、止めねじ１０６により固定されていることから、各保護カバーの長期間に亘る伸縮動作による経年変化や摺動動作によりワイパー１０４の摺接部であるリップ部１０４ｂから締着部１０４ａに伝達される荷重等により、ワイパー１０４の締着部１０４ａが収縮したり劣化して取付け状態が不安定となって、ワイパー１０４の締着部１０４ａががたついたり脱落する原因となっていた。このようにワイパー１０４の締着部１０４ａががたついたり脱落したりすると、該ワイパー１０４により金属屑、塵埃、切削液等を排斥して、工作機械等の可動部へ侵入することを防止することができないという問題があった。
【０００６】
そこで、本発明は、上述した従来のテレスコピックカバーが有する課題を解決するために提案されたものであって、複数の保護カバーにそれぞれ配置されるワイパーの緩みや脱落を防止し、ひいては、金属屑等が工作機械等の可動部へ侵入することを確実に防止するとともに、長期間に亘り加工ヘッド等の位置決め精度を維持し、或いは故障の原因となる場合を回避することを目的とするものである。
【課題を解決するための手段】
【０００７】
上述した目的を達成するため、第１の発明（請求項１記載の発明）に係るテレスコピックカバーは、主板部と、この主板部の両側に形成された側板部とを備えた複数の保護カバーが入れ子状に重ねられた状態で配置され、該保護カバー全体で伸縮自在とされてなるテレスコピックカバーであって、上記複数の保護カバーのうちで最も内側に配置された保護カバーを除く各保護カバーの先端側には、上記保護カバーに固定された固定金具と、この固定金具に接着され該固定金具が固定された保護カバーの先端側に一部重なるように配置された他の保護カバーの主板部又は側板部の外側面に常時摺接するリップ部を有するとともに、弾性材により成形されたワイパーと、を備えてなることを特徴とするものである。
【０００８】
この第1の発明では、ワイパーは固定金具に接着されており、従来のテレスコピックカバーのように固定金具により保護カバーとの間に挟んだ状態でねじ止めにより固定されているものではないことから、各保護カバーの長期間に亘る伸縮動作による経年変化や摺動動作により摺接部からねじ止め部に伝達される荷重等により、該ワイパーが収縮したり劣化したりすることにより、取付け状態が不安定となって、該ワイパーががたついたり脱落することを防止することができる。
【０００９】
なお、この第１の発明においては、固定金具に固定されるワイパーの接着方法が限定されるものではなく、ワイパーと固定金具との間に接着剤を介在させて接着してもよく、ワイパーの成形と同時に金属と接着する加硫接着（請求項５記載の加硫接着）により接着してもよい。また、弾性材からなるワイパーの素材としては、例えば、天然ゴム、合成ゴムであるニトリルブタジエンゴム（ＮＢＲ）、水素添加ニトリルゴム（ＨＮＢＲ）等や、ウレタンゴムであるエステル結合のポリエステルウレタンゴム（ＡＵ）、エーテル結合のポリエーテルウレタンゴム（ＥＵ）等の何れをも使用することができる。また、上記各保護カバーは、それぞれパンタグラフ機構と連結されてなるものであっても、該パンタグラフ機構により連結されることなく、単に入れ子状に組み合わせられているものであっても良い。
【００１０】
また、第２の発明（請求項２記載の発明）は、上記第１の発明において、前記固定金具は、前記他の保護カバーの主板部又は側板部の外側面と平行して又は傾斜して対向する対向面と、この対向面と交わる先端面とを有し、前記ワイパーには、上記対向面に接着される第１の接着面と、上記先端面に接着される第２の接着面とを有してなることを特徴とするものである。
【００１１】
この第２の発明では、ワイパーは、固定金具に対して、該固定金具に形成された前記対向面に接着される第１の接着面のみばかりではなく、前記先端面に接着される第２の接着面が形成され、これら第１及び第２の接着面により固定金具に接着されてなることから、各保護カバーの伸縮動作によるワイパーの摺動動作が長期間に亘って繰り返された場合であっても、脱落する危険性を有効に防止することができる。すなわち、固定金具に形成された先端面と、これに接着されるワイパーの第２の接着面とは、各保護カバーの伸縮方向と交わる方向に形成されている面であることから、固定金具の対向面とワイパーの第１の接着面との接着のみによる場合に比べ脱落をより一層防止することができる。
【００１２】
また、第３の発明（請求項３記載の発明）は、上記第１又は２の発明において、前記ワイパーのリップ部には、少なくとも前記他の保護カバーの主板部又は側板部の外側面に常時摺接する部位に低摩擦抵抗樹脂シートが接着されてなることを特徴とするものである。
【００１３】
この第３の発明では、前記ワイパーのリップ部には、少なくとも前記他の保護カバーの主板部又は側板部の外側面に常時摺接する部位に低摩擦抵抗樹脂シートが接着されてなることから、テレスコピックカバーを構成する各保護カバーが伸縮する際には、弾性材であるワイパーのリップ部が摺動面と直接摺動することなく、低摩擦抵抗樹脂シートを介して摺動するので、摺動部位に生じる摺動摩擦力（摺動摩擦抵抗）を小さくすることができる。すなわち、この摺動摩擦力を小さくすることができることにより、ワイパーのリップ部と摺動面との摺動部位から保護カバーに固定される固定金具の固定部位に伝達される荷重を小さくすることができ、この固定部位に、所謂、がたつきと称される緩み現象が生じにくく、固定金具が緩み又は脱落することを防止することができる。また、前記摺動部位に生じる摺動摩擦力を小さくすることができることから、耐摩耗性が向上するとともに、金属屑等の異物を巻き込むことを防止することができる。
【００１４】
なお、低摩擦抵抗樹脂シートの素材としては、フッ素樹脂であるポリテトラフルオロエチレン（ＰＴＦＥ）、テトラフルオロエチレン・パーフルオロアルキルビニルエーテル共重合体（ＰＦＡ）、テトラフルオロエチレン・ヘキサフルオロプロピレン共重合体（ＦＥＰ）、ポリクロロトリフルオロエチレン（ＰＣＴＦＥ）、テトラフルオロエチレン・エチレン共重合体（ＥＴＦＥ）、ポリビニリデンフルオライド（ＰＶＤＦ）等や、脂肪族ポリアミド系（ナイロン）、芳香族ポリアミド系（ケブラー等）、ポリエステル系（ポリエチレンテレフタレート（ＰＥＴ））等の何れかの樹脂シートを使用することができる。
【００１５】
また、第４の発明（請求項４記載の発明）は、上記第３の発明において、前記低摩擦抵抗樹脂シートは、少なくとも前記ワイパーのリップ部であって前記他の保護カバーの主板部又は側板部の外側面に常時摺接する先端側は外部に露出された状態で該リップ部に接着されてなる一方、基端側は該ワイパー内に埋設された状態で接着されてなることを特徴とするものである。
【００１６】
この第４の発明では、前記低摩擦抵抗樹脂シートは、前記ワイパーのリップ部のみに接着されるばかりではなく、基端側はワーパー内に埋設されてなることから、各保護カバーの伸縮動作により前記低摩擦抵抗樹脂シート全体に対して引張り荷重が負荷されても、該低摩擦抵抗樹脂シートが前記ワイパーのリップ部から剥離する危険性を有効に防止することができる。すなわち、前記低摩擦抵抗樹脂シートの基端側は、前記ワイパー内に埋設され接着されていることにより接着面積が増大されることから、対引張り荷重に対して、前記低摩擦抵抗樹脂シートが前記ワイパーのリップ部にのみに接着されている場合に比べ剥離をより一層防止することができる。特に、低摩擦抵抗樹脂シートの素材としてフッ素樹脂を用いるとともに、上記ワイパーの素材である弾性材としてゴムを用いた場合には、互いを強固に接着することは困難であり、こうした第４の発明によりその接着強度を上げることができ、安定した取り付け状態を長期間に亘って維持することができる。
【００１７】
また、第５の発明（請求項５記載の発明）は、上記第３又は４の発明において、前記ワイパーは、ゴムを素材としてなるとともに、前記ワイパーと固定金具との接着及び前記低摩擦抵抗樹脂シートとワイパーとの接着が、何れも加硫接着であることを特徴とするものである。
【００１８】
この第５の発明では、前記ワイパーは、ゴムを素材としてなるとともに、前記ワイパーと固定金具との接着及び前記低摩擦抵抗樹脂シートとワイパーとの接着が、該ワイパーのゴム成形と同時に固定金具及び低摩擦抵抗樹脂シートと接着する加硫接着であることから、分子同士の結合により、ワイパーは、固定金具及び低摩擦抵抗樹脂シートに強固な接着力により接着され、ワイパーが固定金具から脱落し、又は低摩擦抵抗樹脂シートがワイパーから剥離することを防止することができる。なお、加硫接着法としては、天然ゴム、合成ゴム、ウレタンゴム等の化合物と固定金具及び低摩擦抵抗樹脂シートとを重ね合わせ、プレス加硫時にこれらを直接接着させる直接加硫接着法、又は、加硫接着剤を固定金具及び低摩擦抵抗樹脂シートに塗り該加硫接着剤を介して接着させる間接加硫接着法の何れでもよい。
【発明の効果】
【００１９】
上記第１の発明（請求項１記載の発明）に係るテレスコピックカバーでは、ワイパーは固定金具に接着されており、従来のテレスコピックカバーのように固定金具により保護カバーとの間に挟んだ状態でねじ止めにより固定されているものではないことから、各保護カバーの長期間に亘る伸縮動作による経年変化や摺動動作により摺接部からねじ止め部に伝達される荷重等により、該ワイパーが収縮したり劣化したりすることにより、取付け状態が不安定となって、該ワイパーががたついたり脱落することを防止することができる。その結果、金属屑等が工作機械等の可動部へ侵入することを確実に防止するとともに、長期間に亘り加工ヘッド等の位置決め精度を維持し、或いは故障の原因となる場合を回避することができる。
【００２０】
また、第２の発明（請求項２記載の発明）では、ワイパーは、固定金具に対して、該固定金具に形成された前記対向面に接着される第１の接着面のみばかりではなく、前記先端面に接着される第２の接着面が形成され、これら第１及び第２の接着面により固定金具に接着されてなることから、各保護カバーの伸縮動作によるワイパーの摺動動作が長期間に亘って繰り返された場合であっても、脱落する危険性を有効に防止することができ、金属屑等が工作機械等の可動部へ侵入することを確実に防止するとともに、長期間に亘り加工ヘッド等の可動部の精度を維持し、或いは故障の原因となる場合を回避することができる。
【００２１】
また、第３の発明（請求項３記載の発明）では、ワイパーのリップ部には、少なくとも前記他の保護カバーの主板部又は側板部の外側面に常時摺接する部位に低摩擦抵抗樹脂シートが接着されてなることから、摺動摩擦力を小さくすることができることにより、ワイパーのリップ部と摺動面との摺動部位から保護カバーに固定される固定金具の固定部位に伝達される荷重を小さくすることができ、この固定部位に、所謂、がたつきと称される緩み現象が生じにくく、固定金具が緩み又は脱落することを防止することができる。また、摺動部位に生じる摺動摩擦力を小さくすることができることから、耐摩耗性を向上することができる。その結果、金属屑等が工作機械等の可動部へ侵入することを確実に防止するとともに、長期間に亘り加工ヘッド等の位置決め精度を維持し、或いは故障の原因となる場合を回避することができる。
【００２２】
また、第４の発明（請求項４記載の発明）では、低摩擦抵抗樹脂シートは、ワイパーのリップ部のみに接着されるばかりではなく、基端側はワーパー内に埋設されてなることから、各保護カバーの伸縮動作により低摩擦抵抗樹脂シート全体に対して引張り荷重が負荷されても、該低摩擦抵抗樹脂シートがワイパーのリップ部から剥離する危険性を有効に防止することができる。その結果、金属屑等が工作機械等の可動部へ侵入することを確実に防止するとともに、長期間に亘り加工ヘッド等の位置決め精度を維持し、或いは故障の原因となる場合を回避することができる。
【００２３】
また、第５の発明（請求項５記載の発明）では、ワイパーは、ゴムを素材としてなるとともに、ワイパーと固定金具との接着及び低摩擦抵抗樹脂シートとワイパーとの接着が、該ワイパーのゴム成形と同時に固定金具及び低摩擦抵抗樹脂シートと接着する加硫接着であることから、分子同士の結合により、ワイパーは、固定金具及び低摩擦抵抗樹脂シートに強固な接着力により接着され、ワイパーが固定金具から脱落し、又は低摩擦抵抗樹脂シートがワイパーから剥離することを防止することができる。その結果、金属屑等が工作機械等の可動部へ侵入することを確実に防止するとともに、長期間に亘り加工ヘッド等の位置決め精度を維持し、或いは故障の原因となる場合を回避することができる。
【発明を実施するための最良の形態】
【００２４】
以下、本発明を実施するためのテレスコピックカバーに係る最良の形態を、図面を参照しながら詳細に説明する。なお、この実施の形態に係るテレスコピックカバー１は、図示しない工作機械に装着されるものである。
【００２５】
このテレスコピックカバー１は、図１又は図２に示すように、鉄を素材とする第１ないし第４の保護カバー２，３，４，５と、これら第１ないし第４の保護カバー２，３，４，５の内側に配置されたパンタグラフ機構６とを備え、図１に示す＋Ｙ及び−Ｙ方向に伸縮自在とされているものである。上記第１ないし第４の保護カバー２，３，４，５は、主板部２ａ，３ａ，４ａ，５ａと、この主板部２ａ，３ａ，４ａ，５ａの左側に形成された左側板部（本発明の側板部）２ｂ，３ｂ，４ｂ，５ｂと、上記主板部２ａ，３ａ，４ａ，５ａの右側に形成された右側板部（本発明の側板部）２ｃ，３ｃ，４ｃ，５ｃと、上記主板部２ａ，３ａ，４ａ，５ａの後端に形成された第１ないし第４の後板部８，９，１０，１１とを備えている。
【００２６】
そして、上記第１の保護カバー２は、その基端側の後板部８が図示しない工作機械本体に固定される部材であり、一方、上記第４の保護カバー５は、その先端側の前板部１２が進退移動する図示しない加工ヘッドに固定される部材である。また、上記第２の保護カバー３は、上記第１の保護カバー２の内側に配置され、第３の保護カバー４は、上記第２の保護カバー３の内側に配置され、上記第４の保護カバー５は、上記第３の保護カバー４の内側に配置されてなるものであり、第１ないし第４の保護カバー２，３，４，５の形状は、これらが入れ子状に配置できるように、上記第１の保護カバー２が最も外側に配置され徐々に小さい形状に成形されている。
【００２７】
このように構成された第１ないし第４の保護カバー２，３，４，５は、ガイド板１５，１６，１７，１８と、パンタグラフ機構６を構成する第１ないし第４の短尺リンク２４，２５，２６，２７、第１ないし第４の長尺リンク２８，２９，３０，３１及び第１ないし第１０の連結軸３４・・・４３とにより連結され、図示しない加工ヘッドとともに第４の保護カバー５が進退移動すると、第２ないし第５の保護カバー３，４，５が伸縮動作を行うものである。
【００２８】
また、図１又は図２に示す第２ないし第４の後板部９，１０，１１の外側には、合成ゴム又はウレタンゴムを素材とした第１ないし第６の衝撃吸収部材４４，４５，４６，４７，４８，４９が固定され、テレスコピックカバー１が最も縮小した際に衝撃を吸収するとともに、騒音の発生を防止するように構成されている。すなわち、テレスコピックカバー１が最も縮小した際に、図１に示す第２の後板部９に固定された第１ないし第２の衝撃吸収部材４４，４５は、対向する第１の後板部８と衝突し、第３の後板部１０に固定された第３ないし第４の衝撃吸収部材４６，４７は、対向する第２の後板部９と衝突し、第４の後板部１１に固定された第５ないし第６の衝撃吸収部材４８，４９は、対向する第３の後板部１０と衝突するように配置され、衝突による衝撃を吸収するとともに、騒音の発生を防止するように構成されている。
【００２９】
そして、この実施の形態を構成するワイパーは、後述する第１ないし第３のワイパーアセンブリ５１，５２，５３に組み込まれてなり、上記第１ないし第４の保護カバー２，３，４，５の相互の間であるとともに、図２に示す第１ないし第４の保護カバー２，３，４，５のうちで最も内側に配置された第４の保護カバー５を除く第１ないし第３の保護カバー２，３，４の先端側にそれぞれ第１ないし第３のワイパーアセンブリ５１，５２，５３が配置され、これらの各ワイパーアセンブリ５１，５２，５３に、後述する第１ないし第３の実施の形態を構成する各ワイパー７２，８２又は９２がそれぞれ固定されている。
【００３０】
以下、これら第１ないし第３のワイパーアセンブリ５１，５２，５３について説明する。上記第１のワイパーアセンブリ５１は、第１の保護カバー２と第２の保護カバー３との間であって、第１の保護カバー２の先端部に固定されてなるものであり、上記第２のワイパーアセンブリ５２は、第２の保護カバー３と第３の保護カバー４との間であって、第２の保護カバー３の先端部に固定されてなるものであり、上記第３のワイパーアセンブリ５３は、第３の保護カバー４と第４の保護カバー５との間であって、第３の保護カバー４の先端部に固定されてなるものである。
【００３１】
そしてさらに、これらのワイパーアセンブリ５１，５２，５３は、上記保護カバー２，３，４の図２に示す各主板部２ａ，３ａ，４ａに固定された第１ないし第３の主板側ワイパーアセンブリ５４，５７，６０と、図１に示す各左側板部２ｂ，３ｂ，４ｂに固定された第１ないし第３の左側板側ワイパーアセンブリ５５，５８，６１と、各右側板部２ｃ，３ｃ，４ｃに固定された第１ないし第３の右側板側ワイパーアセンブリ５６，５９，６２とから構成されている。これらを各保護カバー別に整理すると、第１の保護カバー２には、主板部２ａに固定された第１の主板側ワイパーアセンブリ５４と、左側板部２ｂに固定された第１の左側板側ワイパーアセンブリ５５と、右側板部２ｃに固定された第１の右側板側ワイパーアセンブリ５６とが配置されている。
【００３２】
また、第２の保護カバー３には、主板部３ａに固定された第２の主板側ワイパーアセンブリ５７と、左側板部３ｂに固定された第２の左側板側ワイパーアセンブリ５８と、右側板部３ｃに固定された第２の右側板側ワイパーアセンブリ５９とが配置されている。また、第３の保護カバー４には、主板部４ａに固定された第３の主板側ワイパーアセンブリ６０と、左側板部４ｂに固定された第３の左側板側ワイパーアセンブリ６１と、右側板部４ｃに固定された第３の右側板側ワイパーアセンブリ６２とが配置されている。そして、これらの各ワイパーアセンブリ５４ないし６２には、後述する第１の実施の形態を構成する図３に示すワイパー７２、第２の実施の形態を構成する図４に示すワイパー８２、第３の実施の形態を構成する図５に示すワイパー９２又はこれらと同一の構成でなる図示しないワイパーが、それぞれ固定されている。
【００３３】
上記のように各保護カバー２，３，４の先端部に配置された各ワイパーアセンブリ５４ないし６２は、伸縮方向と直交する方向の長さが異なる以外は同一の構成でなることから、以下においては、図２に示す第１の保護カバー２の主板部２ａの先端部に固定された第１の主板側ワイパーアセンブリ５４の部分拡大図である第１の実施の形態を示す図３、第２の実施の形態を示す図４、第３の実施の形態を示す図５を参照して説明し、他のワイパーアセンブリ５５ないし６２については説明を省略する。なお、以下の説明においては、第１の主板側ワイパーアセンブリ５４の符号について、各実施の形態において重複するために、図３に示す第１の実施の形態については第１の主板側ワイパーアセンブリ５４、図４に示す第２の実施の形態については第１の主板側ワイパーアセンブリ５４Ａ、図５に示す第３の実施の形態については第１の主板側ワイパーアセンブリ５４Ｂとして表記する。
【００３４】
まず、第１の実施の形態を構成するワイパーアセンブリ５４は、図３（ａ）に示すように、第１の保護カバー２の主板部２ａの先端側に配置されてなり、その下面部２ｄに固定された固定金具７１と、この固定金具７１に接着された弾性材を素材としたワイパー７２と、このワイパー７２に接着されたリップ部側シート（本発明の低摩擦抵抗樹脂シート）７３及び胴部側シート７５と、前記固定金具７１を前記主板部２ａに固定する複数の止めねじ７４とから構成されている。
【００３５】
これらのうち、固定金具７１の形状は、長さが、図２に示す第２の保護カバー３の主板部３ａの伸縮方向と直交する方向の長さと略同一の長さであり、また、図３（ａ）に示す断面が、第２の保護カバー３の主板部３ａと平行な対向面７１ｅを有してなる平行部７１ａと、この平行部７１ａの前方側から図示左下方へ傾斜して折曲されるとともに、前記主板部３ａに対して傾斜する対向面７１ｆを有してなる傾斜部７１ｂとから形成され、その平行部７１ａの長さ方向の複数個所には、止めねじ７４の雄ねじ（符号は省略する）と螺合する複数の雌ねじ７１ｃが形成されている。
【００３６】
そして、この固定金具７１は、その上面７１ｄが第１の保護カバー２の主板部２ａの下面部２ｄに接するとともに、複数の止めねじ７４と、第１の保護カバー２のねじ穴２ｆとにより締着されている。なお、この固定金具７１の形状は、上記平行部７１ａと傾斜部７１ｂとを有するものに限定されず、例えば、傾斜部７１ｂに相当する部分を平行部７１ａの直進延長上に形成してもよく、また、傾斜部７１ｂに相当する部分のみとして第１の保護カバー２の主板部２ａの先端側を該傾斜部に対して平行に折曲してもよい。
【００３７】
この固定金具７１には、合成ゴム（弾性材）であるニトリルブタジエンゴム（ＮＢＲ）を素材としてなるワイパー７２が、後述する加硫接着により接着されている。なお、上記固定金具７１には、上記第１の保護カバー２の主板部２ａの下面部２ｄ及び第２の保護カバー３の主板部３ａの上面と平行となされた対向面７１ｅと、この対向面７１ｅに連続してなり徐々に第２の保護カバー３の主板部３ａに接近するよう傾斜してなる傾斜対向面７１ｆと、この傾斜対向面７１ｆと交差してなる前端面７１ｇと、上記対向面７１ｅと交差してなる後端面７１ｈとを有している。また、このワイパー７２には、図３（ａ）に示すように、胴部７２ａと、この胴部７２ａの前方側から図示左下方へ傾斜して延設されたリップ部７２ｂとが形成されている。
【００３８】
このワイパー７２は、その上方側に、固定金具７１の対向面７１ｅに接着される第１の接着面７２ｃと、固定金具７１の対向面７１ｆに接着される第２の接着面７２ｄと、固定金具７１の前端面７１ｇに接着される第３の接着面７２ｅと、固定金具７１の後端面７１ｈに接着される第４の接着面７２ｆとを有して、固定金具７１と一体的に接着されている。なお、本発明を構成する第１の接着面は、上記第１の接着面７２ｃと第２の接着面７２ｄであり、本発明を構成する第２の接着面は、上記第３の接着面７２ｅである。
【００３９】
また、このワイパー７２のリップ部７２ｂは、図３（ａ）に示すように、胴部７２ａ側から先端側に向かって薄肉化された錐状に成形されている。また、このワイパー７２のリップ部７２ｂには、このリップ部７２ｂの下面側であって最も薄肉とされた先端部７２ｇから胴部７２ａ側の図示右上に向かう位置には凹面７２ｈが、第２の保護カバー３の主板部３ａと傾斜するように形成されているとともに、この凹面７２ｈに、フッ素樹脂であるポリテトラフルオロエチレン（ＰＴＦＥ）を素材とする、リップ部側シート（低摩擦抵抗樹脂シート）７３が後述する加硫接着により一体的に接着されている。なお、リップ部側シート７３が接着される接着面は、必ずしも凹面７２ｈのように凹部を設ける必要はなく、リップ部側下面７２ｊと同一面であってもよい。
【００４０】
そして、上記第１の実施の形態を構成する第１の主板側ワイパーアセンブリ５４は、図３（ａ）に示すように、ワイパー７２が固定金具７１に接着され、この固定金具７１が第１の保護カバー２の主板部２ａの先端側であって、その下面部２ｄに止めねじ７４により締着された状態において、ワイパー７２の下面側に接着されたリップ部側シート７３の下面（符号は省略する）が、第１の保護カバー２の主板部２ａの先端側に一部重なるように配置されるとともに、相対的移動する他の保護カバー３の主板部３ａと常時摺接している。
【００４１】
したがって、上記第１の主板側ワイパーアセンブリ５４は、ワイパー７２の下面側に接着されたリップ部側シート７３が、相対的移動する第２の保護カバー３の主板部３ａと摺動するものであることから、テレスコピックカバー１の伸縮動作を繰り返すことにより、上記第２の保護カバー３の主板部３ａ上に金属屑、塵埃、クーラント液等が付着しても、上記ワイパー７２の下面側に接着されたリップ部側シート７３の下面により前記金属屑、塵埃、クーラント液等を排斥して、工作機械等の可動部へ侵入することを防止することができる。
【００４２】
また、ワイパー７２の胴部７２ａには、図３（ａ）に示すように、第２の保護カバー３の主板部３ａと平行な胴部下面７２ｉが形成され、この胴部下面７２ｉに、フッ素樹脂であるポリテトラフルオロエチレン（ＰＴＦＥ）を素材とした胴部側シート（低摩擦抵抗樹脂シート）７５が後述する加硫接着により一体的に接着されている。このワイパー７２の胴部７２ａ及びこの胴部７２ａの胴部下面７２ｉに接着された胴部側シート７５は、ワイパー７２のリップ部７２ｂ及びこのリップ部７２ｂに接着されたリップ部側シート７３に、第１の保護カバー２の重力等による過大な押圧力が負荷されることを防止して、上記リップ部側シート７３が、第２の保護カバー３の主板部３ａに対して、常に適正な接触圧力で摺動するように規制すべく配置されてなるものである。
【００４３】
すなわち、弾性材により成形されたワイパー７２のリップ部７２ｂは、図３に示すリップ部７２ｂに押圧力が負荷されると、図３（ｂ）に示すように弾性変形し、図３（ａ）に示す胴部側シート７５の下面と第２の保護カバー３の上面との距離Ｄａが図３（ｂ）に示す距離Ｄｉに縮小され、この縮小に伴う押圧力により、ワイパー７２のリップ部７２ｂとリップ部側シート７３とが押圧される。そこで、ワイパー７２の胴部７２ａとリップ部７２ｂとの位置関係は、図３（ｂ）に示す距離Ｄｉ＝０（胴部側シート７５の下面が第２の保護カバー３の上面に接触した状態）において、リップ部側シート７３と第２の保護カバー３との間に過大な接触圧力が負荷されないように配置されている。このように、本実施の形態では、上記胴部７２ａを上述した位置関係で形成したことから、リップ部側シート７３（の先端側）には過大な接触圧力が負荷されないので、耐摩耗性の向上が図れるとともに、第２の保護カバー３の主板部３ａと摺動する先端部が剥離してめくれ上がることを防止することができる。
【００４４】
なお、上記固定金具７１，ワイパー７２，リップ部側シート７３及び胴部側シート７５のそれぞれを接着する加硫接着方法としては、ワイパー７２の素材であるニトリルブタジエンゴム（ＮＢＲ）の化合物と固定金具７１及び各シート７３，７５とを重ね合わせ、プレス加硫時にこれらを直接接着させる直接加硫接着法を採用しても良いし、或いは、加硫接着剤を固定金具７１及び各シート７３，７５に塗布し該加硫接着剤を介して接着させる間接加硫接着法を採用しても良い。また、こうした接着方法は、図示しない所定の加硫金型内に、上記固定金具７１，リップ部側シート７３，胴部側シート７５を配置するとともに、間にワイパー７２に成型される未加硫ゴムを上記加硫金型内に注入して、該固定金具７１，リップ部側シート７３，胴部側シート７５と一体的にワイパー７２を成型するとともに該固定金具７１，リップ部側シート７３，胴部側シート７５と加硫接着する方法や、上記固定金具７１を所定の加硫金型内に配置した後に、上記ワイパー７２の素材である未加硫ゴムを配置して該固定金具７１と一体的にワイパー７２を成型し、その後に、このワイパー７２に形成された凹面７２ｈと上記リップ部側シート７３との間に未加硫ゴムを介在させ該リップ部側シート７３をワイパー７２の凹面７２ｈに加硫接着するとともに、上記胴部下面７２ｉと胴部側シート７５との間に未加硫ゴムを介在させて、該胴部下面７２ｉと胴部側シート７５とを加硫接着するというように、二段階に分けて固定金具７１，ワイパー７２，リップ部側シート７３及び胴部側シート７５を接着する方法を採用しても良い。こうした各方法を採用すれば、離型性には優れているが非粘着性を有している上記リップ部側シート７３及び胴部側シート７５（フッ素樹脂）とワイパー７２（ニトリルブタジエンゴム（ＮＢＲ）の化合物）との接着強度が高まる。
【００４５】
また、図３（ａ）に示す上記止めねじ７４の下方であって、ワイパー７２の胴部７２ａには、締着された止めねじ７４の図示下端部がワイパー７２の胴部７２ａに干渉しないための図示しない逃し穴を形成することが好ましい。
【００４６】
また、第１の実施の形態を構成する第１の主板側ワイパーアセンブリ５４は、上述のように構成されているが、この他のワイパーアセンブリであって、図１又は図２に示す第１の保護カバー２に固定された左側板側ワイパーアセンブリ５５，右側板側ワイパーアセンブリ５６，第２の保護カバー３に固定された主板側ワイパーアセンブリ５７，左側板側ワイパーアセンブリ５８，右側板側ワイパーアセンブリ５９，第３の保護カバー４に固定された主板側ワイパーアセンブリ６０，左側板側ワイパーアセンブリ６１，右側板側ワイパーアセンブリ６２も、長さ以外はそれぞれ同一の構成である。
【００４７】
次に、第２の実施の形態を構成するワイパーアセンブリ５４Ａは、図４に示すように、第１の保護カバー２の主板部２ａの先端側に配置されてなり、その下面部２ｄに固定された固定金具８１と、この固定金具８１に接着された弾性材からなるワイパー８２と、このワイパー８２に接着されたリップ部側シート８３（本発明の低摩擦抵抗樹脂シート）及び胴部側シート８５と、前記固定金具８１を前記主板部２ａに固定する複数の止めねじ８４とから構成されている。なお、この第２の実施の形態を構成するワイパーアセンブリ５４Ａは、前記第１の実施の形態を構成するワイパーアセンブリ５４に対して、図４に示すリップ部側シート８３の基端部が、ワイパー８２内に埋設された状態で接着されてなる構成が相違し、その他の構成は、前記第１の実施の形態を構成するワイパーアセンブリ５４と同様である。
【００４８】
これらのうち、固定金具８１の形状は、長さが、図２に示す第２の保護カバー３の主板部３ａの伸縮方向と直交する方向の長さと略同一の長さであり、また、図４に示す断面が、第２の保護カバー３の主板部３ａと平行な対向面８１ｅを有してなる平行部８１ａと、この平行部８１ａの前方側から図示左下方へ傾斜して折曲されるとともに、前記主板部３ａに対して傾斜する対向面８１ｆを有してなる傾斜部８１ｂとから形成され、その平行部８１ａの長さ方向の複数個所には、止めねじ８４の雄ねじ（符号は省略する）に螺合する複数の雌ねじ８１ｃが形成されている。
【００４９】
そして、この固定金具８１は、その上面８１ｄが第１の保護カバー２の主板部２ａの下面部２ｄに接するとともに、複数の止めねじ８４と、第１の保護カバー２のねじ穴２ｆとにより締着されている。なお、この固定金具８１の形状は、上記平行部８１ａと傾斜部８１ｂとを有するものに限定されず、例えば、傾斜部８１ｂに相当する部分を平行部８１ａの直進延長上に形成してもよく、また、傾斜部８１ｂに相当する部分のみとして第１の保護カバー２の主板部２ａの先端側を該傾斜部に対して平行に折曲してもよい。
【００５０】
この固定金具８１には、合成ゴム（弾性材）であるニトリルブタジエンゴム（ＮＢＲ）を素材としてなるワイパー８２が、後述する加硫接着により接着されている。なお、上記固定金具８１には、上記第１の保護カバー２の主板部２ａの下面部２ｄ及び第２の保護カバー３の主板部３ａの上面と平行となされた対向面８１ｅと、この対向面８１ｅに連続してなり徐々に第２の保護カバー３の主板部３ａに接近するよう傾斜してなる傾斜対向面８１ｆと、この傾斜対向面８１ｆと交差してなる前端面８１ｇと、上記対向面８１ｅと交差してなる後端面８１ｈとを有している。また、このワイパー８２には、図４に示すように、胴部８２ａと、この胴部８２ａの前方側から図示左下方へ傾斜して延設されたリップ部８２ｂとが形成されている。
【００５１】
そして、このワイパー８２は、その上方側に、固定金具８１の対向面８１ｅに接着される第１の接着面８２ｃと、該固定金具８１の傾斜する対向面８１ｆに接着される第２の接着面８２ｄと、該固定金具８１の前端面８１ｇに接着される第３の接着面８２ｅと、該固定金具８１の後端面８１ｈに接着される第４の接着面８２ｆとを有し、固定金具８１と一体的に接着されている。なお、本発明を構成する第１の接着面は、上記第１の接着面８２ｃと第２の接着面８２ｄであり、本発明を構成する第２の接着面は、上記第３の接着面８２ｅである。
【００５２】
また、このワイパー８２のリップ部８２ｂは、図４に示すように、胴部８２ａ側から先端側に向かって薄肉化された錐状に成形されている。また、このワイパー８２のリップ部８２ｂには、このリップ部８２ｂの下面側であって最も薄肉とされた先端部８２ｇから胴部８２ａ側の図示右上に向かう位置にはリップ部側下面８２ｊが、第２の保護カバー３の主板部３ａと傾斜するように形成されているとともに、このリップ部側下面８２ｊと中段部下面８２ｋとの交差部（符号は省略する）からワイパー８２内に、リップ部側下面８２ｊと同一面を有した凹部８２ｍが形成されている。これらワイパー８２のリップ部側下面８２ｊと凹部８２ｍ内とには、フッ素樹脂であるポリテトラフルオロエチレン（ＰＴＦＥ）を素材とする、リップ部側シート（低摩擦抵抗樹脂シート）８３が、第２の保護カバー３の主板部３ａと常時摺接する先端側は外部に露出された状態で、後述する加硫接着により一体的に接着されている。
【００５３】
すなわち、リップ部側シート８３は、先端側がワイパー８２から露出された状態でリップ部側下面８２ｊに接着されるとともに、該リップ部側シート８３の基端部がワイパー８２内に埋設された状態で凹部８２ｍ内に接着されている。したがって、リップ部側シート８３は、各保護カバーの伸縮動作により引張り荷重が負荷されても、該リップ部側シート８３がワイパー８２のリップ部８２ｂから剥離する危険性を有効に防止することができる。すなわち、リップ部側シート８３の基端部は、ワイパー８２の凹部８２ｍ内に埋設され接着されていることにより接着面積が増大されることから、対引張り荷重に対して、該リップ部側シート８３がワイパー８２のリップ部側下面８２ｊにのみに接着されている場合に比べ剥離をより一層防止することができる。
【００５４】
そして、上記第２の実施の形態を構成する第１の主板側ワイパーアセンブリ５４Ａは、図４に示すように、ワイパー８２が固定金具８１に接着され、この固定金具８１が第１の保護カバー２の主板部２ａの先端側であって、その下面部２ｄに止めねじ８４により締着された状態において、ワイパー８２の下面側に接着されたリップ部側シート８３の下面（符号は省略する）が、第１の保護カバー２の主板部２ａの先端側に一部重なるように配置されるとともに、相対的移動する他の保護カバー３の主板部３ａと常時摺接している。
【００５５】
したがって、上記第１の主板側ワイパーアセンブリ５４Ａは、ワイパー８２の下面側に接着されたリップ部側シート８３が、相対的移動する第２の保護カバー３の主板部３ａと摺動するものであることから、テレスコピックカバー１の伸縮動作を繰り返すことにより、上記第２の保護カバー３の主板部３ａ上に金属屑、塵埃、クーラント液等が付着しても、上記ワイパー８２の下面側に接着されたリップ部側シート８３の下面により前記金属屑、塵埃、クーラント液等を排斥して、工作機械等の可動部へ侵入することを防止することができる。
【００５６】
また、ワイパー８２の胴部８２ａには、図４に示すように、第２の保護カバー３の主板部３ａと平行な下面８２ｉが形成され、この下面８２ｉに、フッ素樹脂であるポリテトラフルオロエチレン（ＰＴＦＥ）を素材として胴部側シート（低摩擦抵抗樹脂シート）８５が後述する加硫接着により一体的に接着されている。このワイパー８２の胴部８２ａ及びこの胴部８２ａの下面８２ｉに接着された胴部側シート８５は、ワイパー８２のリップ部８２ｂ及びこのリップ部８２ｂに接着されたリップ部側シート８３に、第１の保護カバー２の重力等による過大な押圧力が負荷されることを防止して、上記リップ部側シート８３が、第２の保護カバー３の主板部３ａに対して、常に適正な接触圧力で摺動するように規制すべく配置されてなるものである。
【００５７】
すなわち、弾性材により成形されたワイパー８２のリップ部８２ｂは、このリップ部８２ｂに押圧力が負荷されると弾性変形し（図３（ｂ）参照）、図４に示す胴部側シート８５の下面と第２の保護カバー３の上面との距離が縮小され、この縮小に伴う押圧力により、ワイパー８２のリップ部８２ｂとリップ部側シート８３とが押圧される。そこで、ワイパー８２の胴部８２ａとリップ部８２ｂとの位置関係は、胴部側シート８５の下面が第２の保護カバー３の上面に接触した状態において、リップ部側シート８３と第２の保護カバー３との間に過大な接触圧力が負荷されないように配置されている。このように、本実施の形態では、上記胴部８２ａを上述した位置関係で形成したことから、リップ部側シート８３には過大な接触圧力が負荷されないので、耐摩耗性の向上が図れるとともに、第２の保護カバー３の主板部３ａと摺動する先端部が剥離してめくれ上がることを防止することができる。
【００５８】
なお、上記固定金具８１，ワイパー８２，リップ部側シート８３及び胴部側シート８５のそれぞれを接着する加硫接着方法としては、上記第１の実施の形態と同様にして接着することができる。また、図４に示す上記止めねじ８４の下方であって、ワイパー８２の胴部８２ａには、締着された止めねじ８４の図示下端部がワイパー８２の胴部８２ａに干渉しないための図示しない逃し穴を形成することが好ましい。
【００５９】
また、第２の実施の形態を構成する第１の主板側ワイパーアセンブリ５４Ａは上述のように構成されているが、この他のワイパーアセンブリであって、図１又は図２に示す第１の保護カバー２に固定された左側板側ワイパーアセンブリ５５，右側板側ワイパーアセンブリ５６、第２の保護カバー３に固定された主板側ワイパーアセンブリ５７，左側板側ワイパーアセンブリ５８，右側板側ワイパーアセンブリ５９、及び第３の保護カバー４に固定された主板側ワイパーアセンブリ６０，左側板側ワイパーアセンブリ６１，右側板側ワイパーアセンブリ６２も、長さ以外はそれぞれ同一の構成である。
【００６０】
次に、第３の実施の形態を構成するワイパーアセンブリ５４Ｂは、図５に示すように、第１の保護カバー２の主板部２ａの先端側には、主板部２ａの先端から上方に向かって略直角に折曲された折曲板部２ｅが形成され、この折曲板部２ｅの前面２ｇに固定された固定金具９１と、この固定金具９１に接着された弾性材でなるワイパー９２と、このワイパー９２に接着されたリップ部側シート（本発明の低摩擦抵抗樹脂シート）９３と、前記固定金具９１を前記主板部２ａに固定する複数の止めねじ９４とから構成されている。
【００６１】
なお、この第３の実施の形態を構成するワイパーアセンブリ５４Ｂは、前記第１の実施の形態又は第２の実施の形態を構成するワイパーアセンブリ５４又は５４Ａに対して、図５に示す第１の保護カバー２の主板部２ａの先端側に折曲板部２ｅが形成されている点、図５に示すリップ部側シート９３の基端部が、ワイパー９２内に埋設されない状態で接着されている点、また、第１の実施の形態又は第２の実施の形態を構成する胴部側シート７５又は８５に相当する胴部側シートが配置されていない点で相違する。
【００６２】
これらの相違点のうち、リップ部側シート９３の基端部が、ワイパー９２内に埋設されない状態で接着されている点については、後述するワイパー９２の基端部９２ｎの形状を変更することにより、図４に示す凹部８２ｍに相当する凹部を形成することができる。また、第１の実施の形態又は第２の実施の形態を構成する胴部側シート７５又は８５に相当する胴部側シートが配置されていない点については、後述するワイパー９２の基端部９２ｎの形状を変更して、この基端部に胴部側シート７５又は８５に相当するシートを接着するか、または、図５に示す第１の保護カバー２の下面部２ｄに図示しない弾性部材を固定し、この弾性部材の下面に胴部側シート７５又は８５に相当するシートを接着することができる。
【００６３】
上記ワイパーアセンブリ５４Ｂの構成要素のうち、固定金具９１の形状は、長さが、図２に示す第２の保護カバー３の主板部３ａの伸縮方向と直交する方向の長さと略同一の長さであり、また、図５に示す断面が、第２の保護カバー３の主板部３ａと略直角な右側面９１ｊを有してなる基端部９１ｉと、この基端部９１ｉの下方側から図示左下方へ傾斜して折曲されるとともに、前記主板部３ａに対して傾斜する対向面９１ｆを有してなる傾斜部９１ｂとから形成され、その基端部９１ｉの長さ方向の複数個所には、止めねじ９４の雄ねじ（符号は省略する）に螺合する複数の雌ねじ９１ｃが形成されている。
【００６４】
そして、この固定金具９１は、その右側面９１ｊが第１の保護カバー２の前面２ｇに接するとともに、複数の止めねじ９４と、第１の保護カバー２のねじ穴２ｆとにより締着されている。なお、この固定金具９１の形状は、上記基端部９１ｉと傾斜部９１ｂとを有するものに限定されず、例えば、第１の保護カバー２の折曲板部２ｅの折曲角度を鋭角にして、基端部９１ｉの部分を傾斜部９１ｂの延長上に形成してもよい。
【００６５】
この固定金具９１には、合成ゴム（弾性材）であるニトリルブタジエンゴム（ＮＢＲ）を素材としてなるワイパー９２が、後述する加硫接着により接着されるとともに一体的に成形されている。このワイパー９２には、図５に示すように、基端部９２ｎと、この基端部９２ｎから図示左下方へ傾斜して延設されたリップ部９２ｂとが形成されている。
【００６６】
このワイパー９２は、その上方側に、固定金具９１の対向面９１ｆに接着される第１の接着面９２ｃと、固定金具９１の前端面９１ｇに接着される第２の接着面９２ｅと、固定金具９１の右側面９１ｊの下方湾曲部に接着される第３の接着面９２ｆとを有して、固定金具９１と一体的に接着されている。なお、本発明を構成する第１の接着面は、上記第１の接着面９２ｃであり、本発明を構成する第２の接着面は、上記第２の接着面９２ｅである。
【００６７】
また、このワイパー９２のリップ部９２ｂは、図５に示すように、基端部９２ｎ側から先端側に向かって薄肉化された錐状に成形されている。また、このワイパー９２のリップ部９２ｂには、このリップ部９２ｂの下面側であって最も薄肉とされた先端部９２ｇから基端部９２ｎ側の図示右上に向かう位置には凹面９２ｈが、第２の保護カバー３の主板部３ａと傾斜するように形成されているとともに、この凹面９２ｈに、フッ素樹脂であるポリテトラフルオロエチレン（ＰＴＦＥ）を素材とするリップ部側シート（低摩擦抵抗樹脂シート）９３が後述する加硫接着により一体的に接着されている。なお、リップ部側シート９３が接着される接着面は、必ずしも凹面９２ｈのように凹部を設ける必要はなく、基端側下面９２ｐと同一面であってもよい。
【００６８】
そして、上記第３の実施の形態を構成する第１の主板側ワイパーアセンブリ５４Ｂは、図５に示すように、ワイパー９２が固定金具９１に接着され、この固定金具９１が第１の保護カバー２の主板部２ａの先端側であって、その前面２ｇに止めねじ９４により締着された状態において、ワイパー９２の下面側に接着されたリップ部側シート９３の下面（符号は省略する）が、第１の保護カバー２の主板部２ａの先端側に一部重なるように配置されるとともに、相対的移動する他の保護カバー３の主板部３ａと常時摺接している。
【００６９】
したがって、上記第１の主板側ワイパーアセンブリ５４Ｂは、ワイパー９２の下面側に接着されたリップ部側シート９３が、相対的移動する第２の保護カバー３の主板部３ａと摺動するものであることから、テレスコピックカバー１の伸縮動作を繰り返すことにより、上記第２の保護カバー３の主板部３ａ上に金属屑、塵埃、クーラント液等が付着しても、上記ワイパー９２の下面側に接着されたリップ部側シート９３の下面により前記金属屑、塵埃、クーラント液等を排斥して、工作機械等の可動部へ侵入することを防止することができる。
【００７０】
なお、上記固定金具９１，ワイパー９２及びリップ部側シート９３のそれぞれを接着する加硫接着方法としては、上記第１の実施の形態と同様にして接着することができる。また、上記リップ部側シート９３の素材であるフッ素樹脂のポリテトラフルオロエチレン（ＰＴＦＥ）は、離型性には優れているが非粘着性を有してなることから、上記加硫接着の前に予めリップ部側シート９３の接着面に、板状の未加硫ゴムを貼付してから上記加硫接着することが好ましい。
【００７１】
また、第３の実施の形態を構成する第１の主板側ワイパーアセンブリ５４Ｂは上述のように構成されているが、この他のワイパーアセンブリであって、図１又は図２に示す第１の保護カバー２に固定された左側板側ワイパーアセンブリ５５，右側板側ワイパーアセンブリ５６、第２の保護カバー３に固定された主板側ワイパーアセンブリ５７，左側板側ワイパーアセンブリ５８，右側板側ワイパーアセンブリ５９、及び第３の保護カバー４に固定された主板側ワイパーアセンブリ６０，左側板側ワイパーアセンブリ６１，右側板側ワイパーアセンブリ６２も、長さ以外はそれぞれ同一の構成である。
【００７２】
上述したように、第１ないし第３の実施の形態に係るテレスコピックカバー１は、各ワイパーアセンブリ５４（５４Ａ又は５４Ｂ）ないし６２を構成する図３ないし図５に示す固定金具７１，８１又は９１にワイパー７２，８２又は９２がそれぞれ接着され、これら固定金具７１，８１又は９１が、図１又は図２に示す各保護カバー２ないし４にそれぞれ固定されてなり、各ワイパー７２，８２又は９２が、従来のテレスコピックカバーのように各固定金具７１，８１又は９１により各保護カバー２ないし４との間に挟んだ状態でねじ止めにより固定されているものではないことから、（図３ないし図５に示す各リップ部側シート７３，８３又は９３が接着されていなくとも、）各保護カバー２ないし５の長期間に亘る伸縮動作による経年変化や摺動動作により摺接部からねじ止め部に伝達される荷重等により、該ワイパー７２，８２又は９２が収縮したり劣化したりすることにより、取付け状態が不安定となって、該ワイパー７２，８２又は９２ががたついたり脱落することを防止することができる。
【００７３】
さらに、各ワイパー７２，８２又は９２には、低摩擦抵抗樹脂シートである各リップ部側シート７３，８３又は９３がそれぞれ接着されてなることから、各保護カバー２ないし５が伸縮する際には、弾性材である各ワイパー７２，８２又は９２の各リップ部７２ｂ、８２ｂ、また９２ｂが摺動面と直接摺動することなく、リップ部側シート７３，８３又は９３を介してそれぞれ摺動するので、摺動部位に生じる摺動摩擦力（摺動摩擦抵抗）を小さくすることができる。
【００７４】
また、各ワイパー７２，８２又は９２は、各ワイパー７２，８２又は９２と各固定金具７１，８１又は９１との接着並びに各リップ部側シート７３，８３又は９３とワイパー７２，８２又は９２との接着が、該ワイパー７２，８２又は９２のゴム成形と同時に、各固定金具７１，８１又は９１並びに各リップ部側シート７３，８３又は９３とそれぞれ接着する加硫接着であることから、分子同士の結合により、各ワイパー７２，８２又は９２は、各固定金具７１，８１又は９１並びに各リップ部側シート７３，８３又は９３に強固な接着力により接着され、各ワイパー７２，８２又は９２が各固定金具７１，８１又は９１から脱落し、又は各リップ部側シート７３，８３又は９３が各ワイパー７２，８２又は９２から剥離することを防止することができる。
【００７５】
なお、上記実施の形態においては、各保護カバー２，３，４，５のそれぞれの主板部２ａ，３ａ，４ａ，５ａが天板状として配置され、水平方向に伸縮するテレスコピックカバー１により説明したが、本発明はこれに限定されるものではなく、該主板部２ａ，３ａ，４ａ，５ａを左又は右側板状として配置され、水平方向に伸縮するテレスコピックカバーについても摘要できるものである。また、テレスコピックカバーの伸縮方向は水平方向に限定されるものではなく、鉛直方向に伸縮する場合についても同様に適用することができる。
【００７６】
また、上記実施の形態においては、各ワイパー７２，８２又は９２の素材について、合成ゴム（弾性材）であるニトリルブタジエンゴム（ＮＢＲ）により説明したが、本発明はこれに限定されるものではなく、天然ゴム、上記実施の形態と同じ合成ゴムである水素添加ニトリルゴム（ＨＮＢＲ）等や、ウレタンゴムであるエステル結合のポリエステルウレタンゴム（ＡＵ）、エーテル結合のポリエーテルウレタンゴム（ＥＵ）等の何れをも適用することができる。
【００７７】
また、上記実施の形態においては、低摩擦抵抗樹脂シートとしてのリップ部側シート７３，８３，９３や胴部側シート７５，８５等について、フッ素樹脂であるポリテトラフルオロエチレン（ＰＴＦＥ）を素材として説明したが、本発明はこれに限定されるものではなく、同じくフッ素樹脂であるテトラフルオロエチレン・パーフルオロアルキルビニルエーテル共重合体（ＰＦＡ）、テトラフルオロエチレン・ヘキサフルオロプロピレン共重合体（ＦＥＰ）、ポリクロロトリフルオロエチレン（ＰＣＴＦＥ）、テトラフルオロエチレン・エチレン共重合体（ＥＴＦＥ）、ポリビニリデンフルオライド（ＰＶＤＦ）等や、脂肪族ポリアミド系（ナイロン）、芳香族ポリアミド系、ポリエステル系等の何れかの樹脂シートを使用することができるが、摩擦係数の小さいものが好ましい。なお、上記のうちでは、フッ素樹脂であるポリテトラフルオロエチレン（ＰＴＦＥ）の動摩擦係数が０．１０と低く、耐熱性・耐薬品性・耐衝撃性にもすぐれているので好ましい。
【００７８】
なお、上記実施の形態においては、このテレスコピックカバー１に対する図示しない工作機械への取付態様として、上記第１の保護カバー２は、その基端側の後板部８が図示しない工作機械本体に固定され、一方、上記第４の保護カバー５は、その先端側の前板部１２が進退移動する図示しない加工ヘッドに固定される部材であるとして説明したが、こうした取り付け態様とは逆に、上記第４の保護カバー５の前板部１２を図示しない工作機械本体に固定し、上記第１の保護カバー２の後板部８を、図示しない加工ヘッドに固定しても良い。
【図面の簡単な説明】
【００７９】
【図１】本発明の実施の形態に係るテレスコピックカバーの裏面側の斜視図である。
【図２】図１に示すテレスコピックカバーのＡ−Ａ矢視断面図である。
【図３】第１の実施の形態を構成するワイパーアセンブリの断面図であって、（ａ）はワイパーに押圧力が負荷されていない状態を示し、（ｂ）はワイパーに押圧力が負荷されている状態を示す。
【図４】第２の実施の形態を構成するワイパーアセンブリの断面図であって、ワイパーに押圧力が負荷されていない状態を示す。
【図５】第３の実施の形態を構成するワイパーアセンブリの断面図であって、ワイパーに押圧力が負荷されていない状態を示す。
【図６】従来のテレスコピックカバーの部分断面図であって、ワイパーに押圧力が負荷されていない状態を示す。
【符号の説明】
【００８０】
１  テレスコピックカバー
２，３，４，５  第１ないし第４の保護カバー
２ａ，３ａ，４ａ，５ａ  主板部
２ｄ  下面部
５１，５２，５３  第１ないし第３のワイパーアセンブリ
５４，５４Ａ，５４Ｂ  第１の主板側ワイパーアセンブリ
７１，８１，９１  固定金具
７１ａ，８１ａ  平行部
７１ｂ，８１ｂ，９１ｂ  傾斜部
７１ｅ，８１ｅ  平行な対向面
７１ｆ，８１ｆ，９１ｆ  傾斜する対向面
７２，８２，９２  ワイパー
７２ａ，８２ａ  胴部
７２ｂ，８２ｂ，９２ｂ  リップ部
７２ｃ，８２ｃ，９２ｃ  第１の接着面
７２ｄ，８２ｄ，９２ｅ  第２の接着面
７２ｅ，８２ｅ，９２ｆ  第３の接着面
７２ｈ，９２ｈ  凹面
７２ｊ，８２ｊ  リップ部側下面
７３  リップ部側シート（低摩擦抵抗樹脂シート）
７５  胴部側シート
【図１】
2009184026.tif 000003
【図２】
2009184026.tif 000004
【図３】
2009184026.tif 000005
【図４】
2009184026.tif 000006
【図５】
2009184026.tif 000007
【図６】
2009184026.tif 000008